(57)【要約】      （修正有）【課題】物の収納がスムーズに行えるとともに、物を収納する際に開口付近が容易に破損しない紙を提供する。【解決手段】紙袋１は、対向する前壁２及び後壁３と、この前壁及び後壁の側辺間に連結する左右一対のまち部４と、上記前壁又は後壁のいずれか一方の上辺から延出するフラップ５とを備えて形成する。さらに、上記一対のまち部の上辺並びに上記フラップを有しない前壁又は後壁の上辺からそれぞれ延出される補強部６を有し、上記補強部が上記一対のまち部並びに上記フラップを有しない前壁又は後壁の内面に重なり合うように折り返して紙袋１を形成する。当該紙袋は、上記補強部が、全体として一枚の帯状に形成されているとよい。当該紙袋は、上記補強部の各側辺が、底部から先端側に向けて中央方向に傾斜して形成されているとよい。【選択図】図２
0003167666.tif 000002
【実用新案登録請求の範囲】
【請求項１】
対向する前壁及び後壁と、
この前壁及び後壁の側辺間に連結する左右一対のまち部と、
上記前壁又は後壁のいずれか一方の上辺から延出するフラップと
を有する紙袋であって、
上記一対のまち部の各上辺並びに上記フラップを有しない前壁又は後壁の上辺からそれぞれ延出される補強部を有し、
上記補強部が上記一対のまち部並びに上記フラップを有しない前壁又は後壁の内面に重なり合うように折り返されていることを特徴とする紙袋。
【請求項２】
上記補強部が、全体として一枚の帯状に形成されている請求項１に記載の紙袋。
【請求項３】
上記補強部の各側辺が、底部から先端側に向けて中央方向に傾斜して形成されている請求項１又は請求項２に記載の紙袋。
【請求項４】
上記フラップ、補強部、前壁、後壁及び一対のまち部が一枚ものから形成されている請求項１、請求項２又は請求項３に記載の紙袋。
【請求項５】
上記フラップの開口方向長さ及び上記補強部の開口方向長さが互いに等しい請求項１から請求項４のいずれか１項に記載の紙袋。
【考案の詳細な説明】
【技術分野】
【０００１】
本考案は、紙袋に関し、詳細にはフラップ付き紙袋に関する。
【背景技術】
【０００２】
従来、紙袋は、購入品、贈答品、その他小物等を入れて保管、持ち運び等するのに好適に用いられている。また、このような紙袋としては、内容物が外部から視認されたりこぼれ落ちたりするのを防ぐため、上部開口を封止するためのフラップが設けられているものも普及している。
【０００３】
かかる紙袋に備えられるフラップは、通常、対向して配される前壁又は後壁のいずれか一方の上辺から延出して設けられている。このようなフラップを有する紙袋は、所望の物を入れたうえで、このフラップを、フラップが設けられていない側の前壁又は後壁の表面に向けて折り曲げ、フラップに設けられた貼着テープでこのフラップと上記前壁又は後壁の表面とを貼着することによって、内容物を外部から視認されない状態で保管することができる。
【０００４】
しかしながら、かかるフラップ付き紙袋は、通常、対向する前壁及び後壁並びにこの前壁及び後壁の側辺間に連結する左右一対のまち部が紙素材からなっているため、物を入れる際に一定の力が加えられると開口付近が比較的容易に破れることがある。また、比較的軟質の紙を使用している場合には、開口を確実に開いておくためには、人手によって開口付近を支えておかないとまち部が勝手に折り畳まれてしまい、物を収納しにくいこともある。
【０００５】
また、今日、かかるフラップ付き紙袋の製造方法としては、開口端縁が直線状に形成された紙袋を一枚ずつ一定間隔で送り出す工程（第一工程）と、前壁と後壁とが重ねられた状態において、フラップの両側端及びこの両側端と重なり合う箇所を切り落とす工程（第二工程）と、フラップを外側に折り曲げるとともに、この折り曲げ位置よりも突出して形成された他の部分を切り落とす工程（第三工程）と、フラップの内面に粘着帯を設ける工程（第四工程）とを有する製造方法が発案されている（特開平１１−１８８８０５号公報参照）。
【０００６】
しかしながら、このような製造方法によると、フラップを形成するために、フラップを折り曲げた位置よりも突出して形成された部分を切り落とさなければならず、開口付近の十分な強度を保てないうえ、材料のロスも生じ、強度面、環境面ともに望ましいとはいえない。
【０００７】
従って、フラップ付き紙袋としては、物を入れる際に開口付近が容易に破損しないだけの強度を備えているものが好ましい。また、かかるフラップ付き紙袋としては、材料を有効に利用でき、製造時における材料のロスを少なくすることができるものであることが好ましい。
【先行技術文献】
【特許文献】
【０００８】
【特許文献１】特開平１１−１８８８０５号公報
【考案の概要】
【考案が解決しようとする課題】
【０００９】
本考案は、これらの不都合に鑑みてなされたものであり、物の収納がスムーズに行えるとともに、物を入れる際に開口付近が容易に破損しない紙袋の提供を目的とするものである。
【課題を解決するための手段】
【００１０】
上記課題を解決するためになされた考案は、
対向する前壁及び後壁と、
この前壁及び後壁の側辺間に連結する左右一対のまち部と、
上記前壁又は後壁のいずれか一方の上辺から延出するフラップと
を有する紙袋であって、
上記一対のまち部の各上辺並びに上記フラップを有しない前壁又は後壁の上辺からそれぞれ延出される補強部を有し、
上記補強部が上記一対のまち部並びに上記フラップを有しない前壁又は後壁の内面に重なり合うように折り返されていることを特徴とする紙袋である。
【００１１】
当該紙袋は、一対のまち部並びにフラップを有しない前壁又は後壁の内面に重なり合うように折り返される補強部を有しているので、開口付近の強度を高めることができる。従って、当該紙袋は、物の出し入れ等の際に開口付近に力が加えられた場合でもこの部分が破損されるおそれを低減することができる。また、当該紙袋は、補強部により開口付近の強度が向上される結果、開口付近の形状安定性を高めることができる。その結果、当該紙袋は、人手によって開口付近を支えておかないとまち部が勝手に折り曲げられるというおそれを低減することができ、比較的大きな物の収納作業であっても容易に行うことができる。
【００１２】
当該紙袋は、上記補強部が、全体として一枚の帯状に形成されているとよい。これにより、開口付近の強度及び形状安定性をさらに高めることができる。
【００１３】
当該紙袋は、上記補強部の各側辺が、底部から先端側に向けて中央方向に傾斜して形成されているとよい。これにより、補強部を一対のまち部並びにフラップを有しない前壁又は後壁の内面側に容易に折り返すことができる。
【００１４】
当該紙袋は、上記フラップ、補強部、前壁、後壁及び一対のまち部が一枚ものから形成されているとよい。これにより、製造工程を簡素化することができ、製造コストを削減することができる。また、当該紙袋は、製造工程で生じる材料のロスを少なくすることができる。
【００１５】
当該紙袋は、上記フラップの開口方向長さ及び上記補強部の開口方向長さが互いに等しいとよい。これにより、製造工程をさらに簡素化することができる。また、当該紙袋は、上記フラップをこのフラップが連結されている前壁又は後壁の内側に重なり合うように折り曲げるようにすれば、このフラップを補強部と同様に開口付近の強度を向上させるための部材として用いることができる。その結果、当該紙袋は、物の出し入れの際に開口付近が破損するおそれをさらに低減することができる。
【考案の効果】
【００１６】
以上説明したように、本考案の紙袋は、物の収納をスムーズに行うことができるととももに、収納時に開口付近が破損されるおそれを低減することができる。
【図面の簡単な説明】
【００１７】
【図１】本考案の一実施形態に係る紙袋を示す部分的展開図である。
【図２】図１の紙袋における組立後の開口付近を示す模式的斜視図である。
【図３】図１の紙袋の開口封止手順を示す模式的斜視図である。
【図４】図３の開口封止手順とは異なる開口封止手順を示す模式的斜視図である。
【図５】図１の紙袋のフラップを補強部として使用する状態を示す模式的斜視図である。
【考案を実施するための形態】
【００１８】
以下、適宜図面を参照しつつ本考案の実施の形態を詳説する。
【００１９】
図１の紙袋１は、前壁２と、後壁３と、一対のまち部４と、フラップ５と、補強部６と、糊代部７とを有している。
【００２０】
紙袋１は、組立後の状態において、前壁２及び後壁３が互いに対向し、かつ一対のまち部４が前壁２及び後壁３の側辺間に連結されて配置される。紙袋１は、前壁２、後壁３及び一対のまち部４の下辺とそれぞれ連結される組立後の状態において矩形状の底壁（図示せず）を有している。紙袋１は、前壁２、後壁３、一対のまち部４及び底壁によって略有底四角柱状に組み立てられる。紙袋１の大きさは、特に限定されず、内容物の大きさや用途、又は紙袋１に求められる機能等によって適宜設定される。紙袋１の材質としては、特に限定されず、紙だけを用いて形成されてもよく、またラミネート加工されたもの、紙の表面がナイロン等の合成樹脂で覆われたもの等、種々の形態のものを使用することができる。紙袋１において、前壁２、後壁３、一対のまち部４、フラップ５、補強部６及び糊代部７は、一枚の紙を含んだ一枚ものの材料を所定の形状に切り取ることにより一体的に形成されている。
【００２１】
前壁２及び後壁３は、同形状及び同サイズの矩形状に形成されている。
【００２２】
一対のまち部４は、横方向の略中央に内側に向けて谷折りに折り曲げるための折り目が形成されている。一対のまち部４は、互いに同形状及び同サイズの矩形状に形成されている。また、前壁２、後壁３及び一対のまち部４は、開口方向において同一長さに形成されている。
【００２３】
フラップ５は、前壁２の上辺から延出して設けられている。フラップ５は、左右の側辺が略同一角度で中央方向に傾斜した台形状に形成されている。フラップ５は、貼着シール８を有している。貼着シール８の表面には剥離紙が貼られている。
【００２４】
補強部６は、後壁３の上辺及び一対のまち部４の上辺からそれぞれ延出して設けられている。補強部６は、図２に示すように、紙袋１が組み立てられた状態において、後壁３及び一対のまち部４の内面に重なり合うように折り返されている。補強部６の開口方向長さは、フラップ５の開口方向長さと同様の長さに形成されている。補強部６は、組み立てられた状態において、全体として一枚の帯状に形成されている。補強部６は、組み立てられた状態において、各側辺が底部から先端側に向けて中央方向に傾斜して形成されている。
【００２５】
フラップ５の開口方向長さ及び補強部６の開口方向長さとしては、特に限定されないが、それぞれまち部４の横方向長さの１／２以上１以下であることが好ましく、３／５以上１以下であることがさらに好ましい。
【００２６】
糊代部７は、後壁３及びまち部４を連結するための部位である。糊代部７は、略矩形状に形成されている。糊代部７は、まち部４の側辺及び補強部６の側辺から延出して設けられている。紙袋１は、後壁３の一方の側辺（図１においては右端辺）と糊代部６とを重ね合わせて貼着することにより、前壁２、後壁３及び一対のまち部４によって略四角筒状の側壁を形成することができる。糊代部７の大きさとしては、特に限定されないが、貼着作業を容易に行うことができる大きさであって、かつ貼着後に必要な強度をもって固定することができる大きさであることが好ましい。
【００２７】
当該紙袋１は、組み立てられた状態において、補強部６が後壁３及び一対のまち部４の内面に重なり合うように折り返されている。当該紙袋１は、後壁３及び一対のまち部４の開口付近が補強部６と重なり合うことによって２重構造に形成されるので、開口付近の強度を高めることができる。従って、当該紙袋１は、物の出し入れ等の際に開口付近に力が加えられた場合でもこの部分が破損されるおそれを低減することができる。また、当該紙袋１は、補強部６により開口付近の強度が向上される結果、開口付近の形状安定性を高めることができる。その結果、当該紙袋１は、人手によって開口付近を支えておかないとまち部４が勝手に折り曲げられるというおそれを低減することができ、比較的大きな物の収納作業であっても容易に行うことができる。
【００２８】
当該紙袋１は、補強部６が、全体として一枚の帯状に形成されているので、開口付近の強度を全体的に向上させることができる。従って、当該紙袋１は、開口付近において、後壁３及び一対のまち部４のどの部分に力が加えられても、この部分が破損されるおそれを低減することができる。また、当該紙袋１は、補強部６が全体として一枚の帯状に形成される結果、開口付近の形状安定性をさらに高めることができる。
【００２９】
当該紙袋１は、補強部６の各側辺が、底部から先端側に向けて中央方向に傾斜した形状を有しているので、補強部６を後壁３及び一対のまち部４の内面側に容易に折り返すことができる。
【００３０】
当該紙袋１は、フラップ５、補強部６、前壁２、後壁３及び一対のまち部４が一枚ものから形成されているので、製造工程を簡素化することができる。その結果、当該紙袋１は、製造コストを削減することができる。また、当該紙袋１は、製造工程で生じる材料のロスを少なくすることができる。
【００３１】
次に、紙袋１の開口封止手順について説明する。
【００３２】
まず、図３を参照して、内容物として紙袋１よりも比較的小さなサイズの物を収納する場合の封止手順について説明する。
【００３３】
まず、使用者は、所望の物を紙袋１に入れ、図３（ａ）に示すように、まち部４を折り目に沿って内側に向けてＶ字状に折り曲げた状態で前壁２及び後壁３の上辺を重ね合わせる。次に、使用者は、貼着テープ８の表面に貼られている剥離紙を剥がす。さらに、使用者は、図３（ｂ）に示すように、フラップ５を後壁３の表面に向けて折り曲げ、貼着テープ８を用いてフラップ５及び後壁３の表面を貼り合わせる。これにより、紙袋１の開口は封止される。
【００３４】
続いて、図４を参照して、内容物として紙袋１と同程度のサイズの物を収納する場合の封止手順について説明する。
【００３５】
まず、使用者は、所望の物を紙袋１に入れる。この際、補強部６は、内容物のサイズにもよるが、後壁３及び一対のまち部４の内面に重なり合うように折り返されていることが好ましい。次に、使用者は、図４（ｂ）に示すように、補強部６を取り出したうえ、後壁３及び一対のまち部４と略垂直になるように調整する。さらに、使用者は、貼着テープ８の表面に貼られている剥離紙を剥がす。使用者は、図４（ｂ）に示すように、フラップ５を補強部６の表面に向けて折り曲げ、貼着テープ８によってフラップ５及び補強部６の表面を貼り合わせる。これにより、紙袋１の開口は封止される。
【００３６】
このように、当該紙袋１は、フラップ５及び補強部６の開口方向長さを、それぞれまち部４の左右方向長さの１／２以上１以下、さらに好ましくは３／５以上１以下とすることで、補強部６によって開口付近を所定の強度に保つことができるとともに、フラップ５だけでは開口を塞ぐことができない場合であっても、フラップ５と補強部６とを重畳させて貼り合わせることによって開口を確実に封止することができる。
【００３７】
当該紙袋１は、図５に示すように、補強部６のみならず、フラップ５についても前壁２の内面に重なり合うように折り返しておくようにすれば、フラップ５を補強部６と同一の機能を有する部材として使用することができる。従って、当該紙袋１は、開口を封止する必要がない等の場合は、フラップ５を前壁２の内面に重なり合うように折り返しておくことで、開口付近の強度及び形状安定性をさらに向上させることができる。なお、当該紙袋１は、フラップ５の左右の側辺が中央方向に傾斜して形成されているので、フラップ５を前壁２の内面に重なり合うように容易に折り曲げることができる。
【００３８】
当該紙袋１は、フラップ５の開口方向長さ及び補強部６の開口方向長さが互いに等しく形成されているので、製造工程をさらに簡素化することができる。また、当該紙袋１は、フラップ５を前壁２の内側に重なり合うように折り曲げるようにすれば、フラップ５を開口付近の強度を補強部６と同様に向上させるための部材として用いることができる。その結果、当該紙袋１は、物の出し入れの際に開口付近が破損するおそれをさらに低減することができる。
【００３９】
なお、本考案の紙袋は、上記態様の他、種々の変更、改良を施した態様で実施することがきる。例えば、当該紙袋は、フラップ及び補強部の開口方向長さを必ずしもまち部の横方向長さの１／２以上１以下としなくてもよい。
【００４０】
補強部は、一対のまち部の各上辺並びにフラップを有しない前壁又は後壁の上辺からそれぞれ延出されていればよく、必ずしも全体として一枚の帯状を形成していなくてもよい。従って、例えば、前壁又は後壁のいずれかの上辺から延出される補強部、及び一対のまち部の各上辺から延出される補強部は、それぞれ互いに連結されていなくてもよく、前壁又は後壁のいずれかの上辺から延出される補強部、及び一対のまち部の各上辺から延出される補強部の３部材から構成されたものであってもよい。
【００４１】
また、補強部の各側辺は、必ずしも底部から先端側に向けて中央方向に傾斜した形状を有していなくてもよい。当該紙袋は、補強部を各々が連結される側壁の内面に重なり合うように折り曲げることができればよいので、例えば、補強部の各側辺は、開口方向と平行に形成されていてもよい。
【００４２】
フラップ５は、前壁の上辺から延出されている必要はなく、後壁の上辺から延出されていてもよい。当該紙袋は、必ずしもフラップ、補強部、前壁、後壁及び一対のまち部が一枚ものとして形成される必要はなく、例えば、別体としてフラップを形成し、前壁又は後壁の上辺付近と貼着するようにしてもよい。
【００４３】
当該紙袋は、前壁、後壁等に手提げ紐が連結された手提袋として使用されてもよい。当該紙袋は、フラップ及び補強部の開口方向長さが等しく設定される必要はない。当該紙袋は、フラップ及び補強部の開口方向長さが相違していた場合でも、補強部の開口方向長さを調整することにより開口付近を所定の強度に保つことができる。
【００４４】
当該紙袋の補強部の開口方向長さは、均一である必要はなく、例えば、前壁又は後壁上辺から延出される部分の開口方向長さと一対のまち部の上辺から延出される部分の開口方向長さとが相違していてもよい。
【産業上の利用可能性】
【００４５】
以上のように、本考案の紙袋は、物をスムーズに収納することができるとともに、収納作業時における開口付近の破損のおそれを低減することができる。従って、本考案の紙袋は、買い物袋、贈答品を入れるための袋、その他小物を入れるための袋等、種々の目的のために使用される袋として適している。
【符号の説明】
【００４６】
１  紙袋
２  前壁
３  後壁
４  まち部
５  フラップ
６  補強部
７  糊代部
８  貼着テープ
【図１】
0003167666.tif 000003
【図２】
0003167666.tif 000004
【図３】
0003167666.tif 000005
【図４】
0003167666.tif 000006
【図５】
0003167666.tif 000007